(57)【要約】【課題】  移動式洗車機において、洗車機本体が待機位置にあることを検出するリミットスイッチの作動子に付着した氷を溶解して、リミットスイッチの誤作動を防止するようにした。【解決手段】  設置面Ｇ上を走行可能な洗車機本体１にリミットスイッチ１７を設け、一方、設置面Ｇ上にリミットスイッチ１７を作動するカム１９を設け、洗車機本体１が設置面Ｇ上を待機位置にあるとき、リミットスイッチ１７のローラ１７Ａがカム１９に接触して、そのリミットスイッチ１７を作動状態に保持するようにした洗車機において、カム１９に加熱手段Ｈを設け、カム１９の加熱によりローラ１７Ａに付着した氷を融解するようにした。【選択図】    図１
2005297920.tif 000002
【特許請求の範囲】
【請求項１】
設置面上を走行可能な洗車機本体にリミットスイッチを設け、一方、設置面上にリミットスイッチを作動するカムを設け、洗車機本体が設置面上の待機位置にあるとき、リミットスイッチの作動子がカムに接触した状態に保持されるようにした洗車機において、
前記カムに加熱手段を設け、該カムの加熱により前記作動子に付着した氷を融解するようにしたことを特徴とする、洗車機。
【請求項２】
設置面上を走行可能な洗車機本体にリミットスイッチを設け、一方、設置面上にリミットスイッチを作動するカムを設け、洗車機本体が設置面上の待機位置にあるとき、リミットスイッチの作動子がカムに接触した状態に保持されるようにした洗車機において、
前記カムは加熱室を有し、該加熱室に加熱流体が流通することにより前記作動子に付着した氷を融解するようにしたことを特徴とする、洗車機。
【発明の詳細な説明】
【技術分野】
【０００１】
本発明は、設置面上を走行可能な洗車機本体にリミットスイッチを設け、そのリミットスイッチの作動子が設置面に設けたカムに接触することでリミットスイッチを作動し、洗車機本体が待機位置にあることを検出するようにした洗車機に関するものである。
【背景技術】
【０００２】
従来、移動式の洗車機において、設置面上に敷設されるレール上に、洗車機本体を走行可能に設け、その洗車機本体を待機位置（スタート位置）に停止させた状態で、該洗車機本体の前方に被洗浄車両を停車させたのち、待機位置にある洗車機本体を車両に向けて走行させ、該洗車機本体が車両を跨いで通過するときに、そこに設けたブラシなどの洗車機器により車両を洗浄するようにしたものが良く知られている（たとえば、特許文献１参照）。
【特許文献１】特開平１２−１２７９１５号公報
【発明の開示】
【発明が解決しようとする課題】
【０００３】
ところで、前記特許文献１に開示される移動式の洗車機では、洗車機本体の下部にリミットスイッチを設ける一方、その設置面の上に、そのリミットスイッチを作動するカムを設け、洗車機本体が待機位置（スタート位置）にあるとき、リミットスイッチの作動子は、カムとの接触状態を維持して、洗車機本体が待機位置にあることを検出する（特許文献１、図２参照）ようにされている。
【０００４】
ところが、冬季、寒冷地などで、外気温が０℃以下になる環境下では、図５に示すように、リミットスイッチ１１７の作動子１１７Ａに付着した洗浄水などの付着水が凍結して垂氷１５０となり、この垂氷１５０は洗車回数が多くなるに伴って成長して下方へと伸びて、その垂氷１５０が作動子１１７Ａの下端よりも下方の物体１５１（たとえば、洗車機本体から設置面上に落ちた氷塊）や洗車機本体の設置面と接触するに至れば、リミットスイッチ１１７が誤作動するという問題があった。
【０００５】
また、洗車機本体が待機位置にあるとき、リミットスイッチ１１７の作動子１１７Ａが作動位置に揺動した状態（図５、一点鎖線位置）で、その作動子１１７Ａに付着した付着水が凍結することがあり、かかる場合には、洗車機本体が走行して作動子１１７Ａがカム１１９から離隔しても、作動子１１７が不作動位置に戻らないことがあり、この場合もリミットスイッチの誤作動を招くという問題もあった。
【０００６】
本発明は、上記問題に鑑みてなされたもので、洗車機本体に設けたリミットスイッチの作動子に付着した氷を融解することにより、そのリミットスイッチの作動を的確なものとして、洗車機本体が待機位置にあることを確実に検出できるようにした、新規な洗車機を提供することを目的とする。
【課題を解決するための手段】
【０００７】
上記目的を達成するために、請求項１記載の本発明は、設置面上を走行可能な洗車機本体にリミットスイッチを設け、一方、設置面上にリミットスイッチを作動するカムを設け、洗車機本体が設置面上の待機位置にあるとき、リミットスイッチの作動子が、カムに接触した状態に保持されるようにした洗車機において、
前記カムに加熱手段を設け、該カムの加熱により前記作動子に付着した氷を融解するようにしたことを特徴としている。
【０００８】
上記目的を達成するために、請求項２記載の本発明は、設置面上を走行可能な洗車機本体にリミットスイッチを設け、一方、設置面上にリミットスイッチを作動するカムを設け、洗車機本体が設置面上の待機位置にあるとき、リミットスイッチの作動子が、カムに接触した状態に保持されるようにした洗車機において、
前記カムは加熱室を有し、該加熱室を加熱流体が流通することにより前記作動子に付着した氷を融解するようにしたことを特徴としている。
【発明の効果】
【０００９】
上記請求項１記載の発明によれば、洗車機本体が待機位置にあることを検出するリミットスイッチの作動子に付着した水の凍結が起因となる不具合を防止することができる。また、リミットスイッチに加熱手段を設けることなく、その作動子に付着した氷を融解できるので、リミットスイッチの作動信頼性に何らの影響を及ぼすことがない。
【００１０】
上記請求項２記載の発明によれば、請求項１記載の発明の効果に加え、引火の危険がある雰囲気中でも、前記作動子に付着した氷の融解を実施することができる。
【発明を実施するための最良の形態】
【００１１】
以下、本発明の実施の形態を、添付図面に示した本発明の実施例に基づいて具体的に説明する。
【００１２】
図１は、洗車機の側面図、図２は、図１の２矢視部分図、図３は、図２の３矢視部分図、図４は、図３の４矢視の、加熱手段の平面図である。
【００１３】
図１、２において、洗車機の洗車機本体１は、洗浄しようとする被洗浄車両Ｖを跨ぎ得る門型の走行フレーム２を備えている。その門型走行フレーム２の下端部には、それぞれ左右一対の前車輪３，３と後車輪４，４とが設けられており、門型走行フレーム２は、それらの車輪３，３；４，４を介して、洗車機の設置面Ｇに敷設された左右一対の走行レール５Ｌ，５Ｒ上に支持されている。前車輪３，３は走行用モータ６，６により駆動され、それによって、門型走行フレーム２が走行レール５，５に沿い前後方向（図１で右左方向）に往復走行するようにされている。
【００１４】
門型走行フレーム２には、車両Ｖの上面を洗浄するトップブラシ７と、車両Ｖの前後面および側面を洗浄する左右一対のサイドブラシ８，８と、車両Ｖの上面を乾燥するトップノズル９と、車両Ｖの側面を乾燥する左右一対のサイドノズル１０，１０と、車両Ｖの車体面に艶出し剤を噴射する、複数のノズル１１…を備えた艶出し剤噴射管１２と、車両Ｖの車体面に洗剤を噴射する、複数のノズル１３…を備えた洗剤噴射管１４と、車両Ｖの車体面に濯ぎ水を噴射する、複数のノズル１５…を備えた濯ぎ水洗剤噴射管１６とが設けられている。
【００１５】
本発明にかかるリミットスイッチとしての走行リミットスイッチ１７は、スイッチ本体１７Ｃに門型走行フレーム２の走行方向に沿って揺動可能に支持される揺動アーム１７Ｂと、この揺動アーム１７Ｂの先端に回転自在に軸支される、金属製のローラ１７Ａとを備え、図３に示すように、ローラ１７Ａが設置面Ｇに設けた、本発明にかかるカムとしての待機位置カム１９に接触して揺動アーム１７Ｂが揺動することにより、走行リミットスイッチ１７が作動され、洗車機本体１が待機位置（スタート位置）にあることを検出することができる。そして、揺動アーム１７Ｂとローラ１７Ａは、本発明にかかる作動子を構成する。
【００１６】
設置面Ｇ上には、細長い左右敷板１８Ｌ，１８Ｒが平行に敷設され、これらの敷板１８Ｌ，１８Ｒ上に、前記左右走行レール５Ｌ、５Ｒがそれぞれ固定されている。図４に示すように、一方の敷板１８Ｌは、他方の敷板１８Ｒよりも幅広に形成されており、その後部上面に、本発明にかかるカムとしての待機位置カム１９が固定され、この待機位置カム１９には、該カム１９を加熱する加熱手段Ｈが設けられる。
【００１７】
以下、主に図４を参照して、前記加熱手段Ｈの構成について説明する。
【００１８】
前記待機位置カム１９の内部に密閉状の加熱室１９Ａが形成されている。この加熱室１９Ａの一側面には、熱媒体である不凍液の流入口１９Ｂが、また、その後面にはその不凍液の流出口１９Ｃがそれぞれ設けられる。そして、前記流入口１９Ｂと流出口１９Ｃ間には、加熱回路が接続される。この加熱回路には、ポンプ２１と、このポンプ２１の吸込側に設けられる不凍液槽２２とが接続されており、この不凍液槽２２には、そこに貯溜される不凍液を３０〜４０℃に加熱するヒータ２２Ａが設けられる。前記流入口１９Ｂには、ポンプ２１の吐出側に連なる供給管路２０が接続される。また、前記流出口１９Ｃには、戻り管路２３の一端部が接続され、この戻り管路２３は、一方（左側）の走行レール５Ｌ内を往復縦走して、その他端が不凍液槽２２に接続される。また、供給管路２０の途中から分岐管路２４が分岐されており、この分岐管路２４は、他方（右側）の走行レール５Ｒ内を往復縦走して、その他端が不凍液槽２２に接続される。
【００１９】
図１に示すように、一方（左側）の敷板１８Ｌの前端部（図１右端部）上には、往走行限界カム２６が固定されており、この往走行限界カム２６に、前記ローラ１７Ａが接触して揺動アーム１７Ｂが揺動することにより、洗車機本体１が往走行限界（復行開始位置）に達したことを走行リミットスイッチ１７が検出する。
【００２０】
図１〜３に示すように、洗車機本体１が待機位置（スタート位置）にあるとき、ローラ１７Ａは、待機位置カム１９に接触した状態にあり、揺動アーム１７Ｂは揺動されて、走行リミットスイッチ１７は作動状態にあり、洗車機本体１が待機位置にあることを検出し、その検出信号を図示しない従来公知の洗車制御装置に印加するようにされている。
【００２１】
しかして、この洗車機本体１が待機状態にあるとき、ポンプ２１を駆動すると、不凍液槽２２内の加熱（３０〜４０℃）された不凍液（加熱流体）は、供給管路２０を通り、流入口１９Ｂより加熱室１９Ａ内に供給され、ここで待機位置カム１９を加熱したのち、流出口１９Ｃから戻り管路２３を流れて不凍液槽２２に戻る。また、供給管路２０を流れる不凍液の一部は、分岐管路２４を流れて不凍液槽２２内へ戻る。
【００２２】
ところで、加熱された不凍液（加熱流体）が加熱室１９Ａ内を流れることで、不凍液の熱は待機位置カム１９へと伝わり、該待機位置カム１９を加熱することができる。待機位置カム１９には、ローラ１７Ａが接触しているので、その熱は、待機位置カム１９からローラ１７Ａへと伝わり、ローラ１７Ａ内を伝導する。さらに、ローラ１７Ａ内を伝導した熱は、該ローラ１７Ａから揺動アーム１７Ｂへと伝わり、揺動アーム１７Ｂ内を伝導する。
【００２３】
これにより、ローラ１７Ａおよび揺動アーム１７Ｂを加熱することができる。また、加熱された不凍液（加熱流体）は、戻り管路２３および分岐管路２４を流れることにより、不凍液の熱が左右走行レール５Ｌ，５Ｒにも伝わり、それらの走行レール５Ｌ，５Ｒを加熱することができ、それらに付着する水の凍結を防止することができる。
【００２４】
つぎに、前記洗車機により、被洗浄車両Ｖを洗浄する洗浄行程について説明すると、洗車が開始されると、洗車機本体１は、図１に示す待機位置（スタート位置）から往走行（図１右方走行）を開始する。洗車機本体１の往走行により、これが被洗浄車両Ｖを跨いで通過し、往行終了位置（復行開始位置）に達すれば、そこから復走行（図１左走行）する。洗車機本体１が被洗浄車両Ｖを跨いで１回以上往復走行し、洗車機本体１が待機位置に戻ると洗車を終了する。
【００２５】
この洗車機本体１の往復走行に伴って、適宜、トップブラシ７、左右一対のサイドブラシ８，８で、被洗浄車両Ｖの車体面がブラッシング洗浄され、また、適宜、艶出し剤噴射管１２、洗剤噴射管１４，濯ぎ水噴射管１６の各ノズル１１，１３，１５から艶出しを含んだ水、洗剤を含んだ水、濯ぎ水が、被洗浄車両Ｖの車体面へ噴射され、最後の復走行時に、トップノズル９，左右一対のサイドノズル１０，１０から被洗浄車両Ｖの車体面へ空気を吹きつけて、該車体面を乾燥する。
【００２６】
なお、前記洗浄行程は、従来公知であるので、その詳細な説明を省略する。
【００２７】
ところで、前記洗浄行程において、外気温が０℃以下に低下した場合には、洗車に用いいた水が、走行リミットスイッチ１７の、ローラ１７Ａおよび揺動アーム１７Ｂに付着し、この付着水は、洗車機本体１が待機位置に戻る前に凍結するに至るが、洗車機本体１が洗車行程を終了して待機位置に戻ると、前記加熱手段Ｈによりローラ１７Ａおよび揺動アーム１７Ｂは前述したように加熱されるので、ローラ１７Ａおよび揺動アーム１７Ｂに付着している氷を融解することができる。
【００２８】
したがって、ローラ１７Ａおよび揺動アーム１７Ｂに付着した氷が、洗車回数の増加に伴って次第に成長していくのを防止することができ、付着した氷に起因して走行リミットスイッチ１７が誤動作する虞れを未然に防止することができる。また、走行リミットスイッチ１７自体には、加熱手段Ｈを設けずに、その作動子、すなわちローラ１７Ａおよび揺動アーム１７Ｂを加熱することができるので、その加熱により走行リミットスイッチ１７の作動信頼性が損なわれることがない。また可動部分のない待機位置カム１９に、加熱手段Ｈが設けられるので、該加熱手段Ｈの構成を簡素化することができる。
【００２９】
また、加熱した不凍液（加熱流体）が加熱室１９Ａ内を流れることで待機カム１９を加熱するので、ガソリンスタンドなどの引火の危険がある雰囲気中でもリミットスイッチ１７の作動子に付着した氷の融解を実施することができる。
【００３０】
左右敷板１８Ｌ，１８Ｒ上に落ちた氷塊は、左右走行レール５Ｌ，５Ｒに伝わった熱がそれらの敷板１８Ｌ，１８Ｒに伝わり該熱で融解する。
【００３１】
なお、ローラ１７Ａは、金属などの熱伝導性のよい材料により形成すれば、熱が伝わりやすくなるので、ローラ１７Ａおよび揺動アーム１７Ｂに付着している氷を効果的に融解することができる。
【００３２】
以上、本発明の実施例について説明したが、本発明はその実施例に限定されることなく、本発明の範囲内で種々の実施例が可能である。
【００３３】
たとえば、前記実施例では、走行リミットスイッチ１７の作動子をローラ１７Ａと揺動アーム１７Ｂとより構成した場合を説明したが、これを他の同効物に代えてもよい。
【図面の簡単な説明】
【００３４】
【図１】洗車機の側面図
【図２】図１の２矢視部分図
【図３】図２の３矢視部分図
【図４】図３の４矢視の、加熱手段の平面図
【図５】リミットスイッチに氷が付着した場合の説明図
【符号の説明】
【００３５】
１・・・・・・洗車機本体
１７・・・・・リミットスイッチ（走行リミットスイッチ）
１７Ａ・・・・作動子（ローラ）
１７Ｂ・・・・作動子（揺動アーム）
１９・・・・・カム（待機位置カム）
１９Ａ・・・・加熱室
Ｇ・・・・・・設置面
Ｈ・・・・・・加熱手段
【図１】
2005297920.tif 000003
【図２】
2005297920.tif 000004
【図３】
2005297920.tif 000005
【図４】
2005297920.tif 000006
【図５】
2005297920.tif 000007